(57)【要約】【課題】給湯部分の運転制御を適切に行うことができるヒートポンプシステムを提供する。【解決手段】ヒートポンプシステム１は、熱源ユニット２と、第１利用ユニット４ａと、第２利用ユニット１０ａ，１０ｂと、温度センサ１０７ａ，１０７ｂと、制御部１１６ａとを備える。第１利用ユニット４ａは、熱源ユニット２に接続され、冷媒と水媒体との熱交換を行う第１利用側熱交換器４１ａを有する。第２利用ユニット１０ａ，１０ｂは、熱源ユニット２に接続され、冷媒と空気媒体との熱交換を行う第２利用側熱交換器１０１ａ，１０１ｂを有する。温度センサ１０７ａ，１０７ｂは、第２利用ユニット１０ａ，１０ｂに設けられ、空調対象空間ｓｑ内の温度Ｔｒを検知する。制御部１１６ａは、温度センサ１０７ａ，１０７ｂの検知結果と第２利用ユニット１０ａの目標設定温度Ｔｏとに基づいて、第１利用ユニット４ａの運転のオン及びオフを制御する。【選択図】図１
2010196954.tif 000002
【特許請求の範囲】
【請求項１】
熱源ユニット（２，２０２）と、
前記熱源ユニット（２，２０２）に接続され、冷媒と水媒体との熱交換を行う第１利用側熱交換器（４１ａ）を有する第１利用ユニット（４ａ，２０４ａ）と、
前記熱源ユニット（２，２０２）に接続され、冷媒と空気媒体との熱交換を行う第２利用側熱交換器（１０１ａ，１０１ｂ）を有する第２利用ユニット（１０ａ，１０ｂ，２１０ａ，２１０ｂ）と、
前記第２利用ユニット（１０ａ，１０ｂ，２１０ａ，２１０ｂ）に設けられ、前記第１利用側熱交換器（４１ａ）にて熱交換された水媒体及び前記第２利用側熱交換器（１０１ａ，１０１ｂ）にて熱交換された空気媒体を利用して暖房が行われる対象空間の温度を検知する温度検知部（１０７ａ，１０７ｂ，３０７ａ，３０７ｂ）と、
前記温度検知部（１０７ａ，１０７ｂ，３０７ａ，３０７ｂ）の検知結果と前記第２利用ユニット（１０ａ，１０ｂ，２１０ａ，２１０ｂ）の目標設定温度とに基づいて、前記第１利用ユニット（４ａ，２０４ａ）の運転のオン及びオフを制御する制御部（１１５ａ，３１５ａ）と、
を備える、ヒートポンプシステム（１，２００）。
【請求項２】
前記第２利用ユニット（１０ａ，１０ｂ）は、１つの前記対象空間内に複数台設置されており、
前記制御部（１１５ａ）は、１つの前記対象空間内の前記第２利用ユニット（１０ａ，１０ｂ）それぞれに設けられた前記温度検知部（１０７ａ，１０７ｂ）の検知結果全ての平均値と前記目標設定温度との差を求め、その差を用いて前記第１利用ユニット（４ａ）の運転のオン及びオフを制御する、
請求項１に記載のヒートポンプシステム（１）。
【請求項３】
前記第２利用ユニット（２１０ａ，２１０ｂ）は、１つの前記対象空間内に複数台設置されており、
前記制御部（３１５ａ）は、１つの前記対象空間内の前記第２利用ユニット（２１０ａ，２１０ｂ）のうちいずれか１つにおける前記温度検知部（１０７ａ）の検知結果と前記目標設定温度との差を求め、その差を用いて前記第１利用ユニット（２０４ａ）の運転のオン及びオフを制御する、
請求項１に記載のヒートポンプシステム（２００）。
【請求項４】
前記制御部（１１５ａ）は、１つの前記対象空間内の前記第２利用ユニット（１０ａ，１０ｂ）のうち少なくとも１つと前記第１利用ユニット（４ａ）とを連動して運転制御可能であって、
前記第１利用ユニット（４ａ）と連動して運転制御される前記第２利用ユニット（１０ａ）を連動ユニットとして示す連動ユニット情報、及び前記連動ユニットと前記第１利用ユニット（４ａ）とを前記制御部（１１５ａ）が現在連動して運転制御しているか否かを示す連動運転制御情報、の少なくとも１つを表示可能な表示部（１１４ａ）、
を更に備える、
請求項１〜３のいずれかに記載のヒートポンプシステム（１）。
【請求項５】
前記制御部（１１５ａ）及び前記表示部（１１４ａ）は、前記連動ユニットと接続されている制御装置（１１ａ）に含まれている、
請求項４に記載のヒートポンプシステム（１）。
【請求項６】
前記第２利用ユニット（１０ａ，１０ｂ，２１０ａ，２１０ｂ）は、前記対象空間内の空気が前記第２利用ユニット（１０ａ，１０ｂ，２１０ａ，２１０ｂ）の内部へと流れる空気流を生成するファン（１０５ａ，１０５ｂ）、を更に有しており、
前記制御部（１１５ａ，３１５ａ）は、前記第１利用側熱交換器（４１ａ）にて熱交換された水媒体及び前記第２利用側熱交換器（１０１ａ，１０１ｂ）にて熱交換された空気媒体を利用して対象空間に対し暖房が行われるモードであって、かつ温度検出対象の前記温度検知部（１０７ａ，１０７ｂ，３０７ａ）が設けられている前記第２利用ユニット（１０ａ，１０ｂ，２１０ａ）が運転を停止している場合には、運転を停止している前記第２利用ユニット（１０ａ，１０ｂ，２１０ａ）の前記ファン（１０５ａ，１０５ｂ）を駆動させ、
温度検出対象の前記温度検知部（１０７ａ，１０７ｂ、３０７ａ）は、前記ファン（１０５ａ，１０５ｂ）の駆動時に温度検知を行う、
請求項１〜５のいずれかに記載のヒートポンプシステム（１，２００）。
【請求項７】
前記第１利用ユニット（４ａ，４ｂ）が、並列に複数台設置されている、
請求項１〜６のいずれかに記載のヒートポンプシステム（１，２００）。
【発明の詳細な説明】
【技術分野】
【０００１】
本発明は、ヒートポンプシステムに関する。
【背景技術】
【０００２】
従来より、特許文献１（特開２０００−４６４１７号公報）に示されるように、対象空間に対し空調を行う空調部分と、水媒体を加熱する給湯部分と、例えば床暖房パネルである温水利用型暖房部分とが１つずつ組み合わせられることで構成されたシステムが知られている。空調部分には、冷媒と空気媒体との間で熱交換を行う熱交換器が含まれており、当該熱交換器にて熱交換された後の空調空気は対象空間内に供給される。一方、給湯部分には、冷媒と水媒体との間で熱交換を行う熱交換器が含まれており、温水利用型暖房部分は、当該熱交換器によって熱交換された後の温水を用いて対象空間を暖房する。つまり、給湯部分が水を加熱する給湯運転を行うことで、温水利用型暖房部分は、対象空間に対し暖房を行うことができる。
【発明の概要】
【発明が解決しようとする課題】
【０００３】
ところで、上記システムに係る空調部分には、対象空間内の温度を検出する温度センサが設けられており、空調部分は、当該センサにより検知された対象空間内の温度に基づいて運転を行うことができる。一方、給湯部分及び温水利用型暖房部分は、対象空間内の温度を検知することができないため、給湯部分自体の能力（具体的には、給湯能力）の強弱が調節されることで、温水利用型暖房部分による暖房が制御されるようになっている。即ち、給湯部分は、対象空間に応じて適切に運転制御を行うことができないため、温水利用型暖房部分も、対象空間に対応してきめ細かい運転を行うことが困難となっている。
【０００４】
そこで、本発明は、空調部分と給湯部分とを備えたヒートポンプシステムにおいて、対象空間に対応して給湯部分の運転制御を適切に行うことを目的とする。
【課題を解決するための手段】
【０００５】
発明１に係るヒートポンプシステムは、熱源ユニットと、第１利用ユニットと、第２利用ユニットと、温度検知部と、制御部とを備える。第１利用ユニットは、熱源ユニットに接続され、第１利用側熱交換器を有する。第１利用側熱交換器は、冷媒と水媒体との熱交換を行う。第２利用ユニットは、熱源ユニットに接続され、第２利用側熱交換器を有する。第２利用側熱交換器は、冷媒と空気媒体との熱交換を行う。温度検知部は、第２利用ユニットに設けられ、対象空間の温度を検知する。対象空間は、第１利用側熱交換器にて熱交換された水媒体、及び第２利用側熱交換器にて熱交換された空気媒体を利用して暖房が行われる空間である。制御部は、温度検知部の検知結果と第２利用ユニットの目標設定温度とに基づいて、第１利用ユニットの運転のオン及びオフを制御する。
【０００６】
このヒートポンプシステムによると、第２利用ユニット内の温度検知部によって検知された対象空間内の温度と第２利用ユニットの目標設定温度とに基づいて、第１利用ユニットの運転のオン及びオフが制御される。従って、第１利用ユニットが対象空間内の温度を検知できずとも、第１利用ユニットの制御には、第２利用ユニット側で検知された温度が用いられるため、第１利用ユニットの運転制御を適切に行うことができる。
【０００７】
発明２に係るヒートポンプシステムは、発明１に係るヒートポンプシステムであって、第２利用ユニットは、１つの対象空間内に複数台設置されている。制御部は、１つの対象空間内の第２利用ユニットそれぞれに設けられた温度検知部の検知結果全ての平均値と目標設定温度との差を求め、その差を用いて第１利用ユニットの運転のオン及びオフを制御する。
【０００８】
１つの対象空間内に第２利用ユニットが複数台設置されていると、各第２利用ユニットの設置位置によっては、温度検知部が検知する対象空間内の温度の値が異なる場合がある。この場合、どの温度検知部の検知結果を用いるかによって検知結果と目標設定温度との差が異なってくるため、第１利用ユニットの運転のオン及びオフの制御にも影響が及ぼされる。しかし、このヒートポンプシステムでは、対象空間内における複数の第２利用ユニットの温度検知部の検知結果全てから検知結果の平均値を求め、当該平均値と目標設定温度との差により、第１利用ユニットの運転がオン及びオフされる。従って、温度検知部の検知結果が温度検知部毎に異なっているとしても、第１利用ユニットは、この検知結果の違いに左右されることなく、対象空間全体の平均温度によって適切にオン及びオフされるようになる。
【０００９】
発明３に係るヒートポンプシステムは、発明１に係るヒートポンプシステムであって、第２利用ユニットは、１つの対象空間内に複数台設置されている。制御部は、１つの対象空間内の第２利用ユニットのうちいずれか１つにおける温度検知部の検知結果と目標設定温度との差を求め、その差を用いて第１利用ユニットの運転のオン及びオフを制御する。
【００１０】
このヒートポンプシステムでは、１つの対象空間内に第２利用ユニットが複数台設置されている場合、いずれかの第２利用ユニットに設けられている温度検知部の検知結果と目標設定温度との差により、第１利用ユニットの運転のオン及びオフが制御される。つまり、このシステムでは、特定の第２利用ユニットにおける温度検知部によって検知された対象空間内の温度が、第１利用ユニットの運転制御に用いられる。従って、第１利用ユニットは、特定の第２利用ユニット付近の温度に応じて運転制御が行われるようになる。尚、特定の第２利用ユニットは、例えば第１利用ユニットと第２利用ユニットとの距離関係や、対象空間内における第２利用ユニットの設置位置等によって決定される。
【００１１】
発明４に係るヒートポンプシステムは、発明１〜３のいずれかに係るヒートポンプシステムであって、制御部は、１つの対象空間内の第２利用ユニットのうち少なくとも１つと第１利用ユニットとを連動して運転制御可能である。そして、ヒートポンプシステムは、表示部を更に備える。表示部は、連動ユニット情報及び連動運転制御情報の少なくとも１つを表示することが可能である。連動ユニット情報は、第１利用ユニットと連動して運転制御される第２利用ユニットを、連動ユニットとして示す情報である。連動運転制御情報は、連動ユニットと第１利用ユニットとを、制御部が現在連動して運転制御しているか否かを示す情報である。
【００１２】
このヒートポンプシステムでは、第１利用ユニットがどの第２利用ユニットと連動して運転されるのかを示す連動ユニット情報、及び連動ユニットである第２利用ユニットが現在第１利用ユニットと連動して運転しているか否かを示す連動運転制御情報が、表示部に表示される。これにより、当該ヒートポンプシステムを利用するユーザは、表示部に表示された連動ユニット情報及び連動運転制御情報から、連動ユニットがどの第２利用ユニットであるのか、及び現在連動運転が行われているのか否かを知ることができる。
【００１３】
発明５に係るヒートポンプシステムは、発明４に係るヒートポンプシステムであって、制御部及び表示部は、連動ユニットと接続されている制御装置に含まれている。
【００１４】
このヒートポンプシステムでは、第１利用ユニットと連動制御される第２利用ユニット（つまり、連動ユニット）に接続されている制御装置には、制御部及び表示部が含まれている。ここで、制御装置としては、例えばリモートコントローラが挙げられる。これにより、当該ヒートポンプシステムを利用するユーザは、連動ユニットに接続されているリモートコントローラの表示部から、連動ユニットがどの第２利用ユニットであるのか、及び現在連動運転が行われているのか否かを知ることができる。
【００１５】
発明６に係るヒートポンプシステムは、発明１〜５のいずれかに係るヒートポンプシステムであって、第２利用ユニットは、ファンを更に有している。ファンは、対象空間内の空気が第２利用ユニットの内部へと流れる空気流を生成する。そして、第１利用側熱交換器にて熱交換された水媒体及び第２利用側熱交換器にて熱交換された空気媒体を利用して対象空間に対し暖房が行われるモードであって、かつ温度検出対象の温度検知部が設けられている第２利用ユニットが運転を停止している場合には、制御部は、運転を停止している第２利用ユニットのファンを駆動させる。温度検出対象の温度検知部は、ファンの駆動時に温度検知を行う。
【００１６】
第２利用ユニットが運転停止状態である場合には、第２利用ユニット内のファンも駆動停止状態にある。そのため、ファンの停止により第２利用ユニット内には対象空間内の空気が送り込まれないため、第２利用ユニットに設けられている温度検知部は現在の対象空間内の温度を検知することが困難となってしまう。しかし、このヒートポンプシステムでは、上記モードであって、かつ第２利用ユニットが運転停止状態である場合には、温度検出対象の温度検知部が設けられている第２利用ユニットのファンを駆動させる。これにより、現在の対象空間内の空気が第２利用ユニット内に送り込まれる空気の流れが形成されるため、温度検知部は、現在の対象空間内の温度を検知することができるようになる。
【００１７】
発明７に係るヒートポンプシステムは、発明１〜６のいずれかに係るヒートポンプシステムであって、第１利用ユニットが、並列に複数台設置されている。
【００１８】
このように、第１利用ユニットが並列に複数台設置されている場合であっても、各第１利用ユニットは、第２利用ユニット内の温度検知部によって検知された対象空間内の温度と第２利用ユニットの目標設定温度とに基づいて、運転のオン及びオフが制御される。そのため、第１利用ユニットの運転制御が適切に行われる。
【発明の効果】
【００１９】
発明１に係るヒートポンプシステムによると、第１利用ユニットが対象空間内の温度を検知できずとも、第１利用ユニットの制御には、第２利用ユニット側で検知された温度が用いられるため、第１利用ユニットの運転制御を適切に行うことができる。
【００２０】
発明２に係るヒートポンプシステムによると、温度検知部の検知結果が温度検知部毎に異なっているとしても、第１利用ユニットは、この検知結果の違いに左右されることなく、対象空間全体の平均温度によって適切にオン及びオフされるようになる。
【００２１】
発明３に係るヒートポンプシステムによると、特定の第２利用ユニットにおける温度検知部によって検知された対象空間内の温度が、第１利用ユニットの運転制御に用いられるため、第１利用ユニットは、特定の第２利用ユニット付近の温度に応じて運転制御が行われるようになる。
【００２２】
発明４に係るヒートポンプシステムによると、当該システムを利用するユーザは、表示部に表示された連動ユニット情報及び連動運転制御情報から、連動ユニットがどの第２利用ユニットであるのか、及び現在連動運転が行われているのか否かを知ることができる。
【００２３】
発明５に係るヒートポンプシステムによると、当該システムを利用するユーザは、リモートコントローラ等である制御装置の表示部から、連動ユニットがどの第２利用ユニットであるのか、及び現在連動運転が行われているのか否かを知ることができる。
【００２４】
発明６に係るヒートポンプシステムによると、現在の対象空間内の空気が第２利用ユニット内に送り込まれる空気の流れが形成されるため、温度検知部は、現在の対象空間内の温度を検知することができるようになる。
【００２５】
発明７に係るヒートポンプシステムによると、第１利用ユニットの運転制御が適切に行われる。
【図面の簡単な説明】
【００２６】
【図１】第１実施形態に係るヒートポンプシステムの全体構成の概念図。
【図２】第１実施形態に係るヒートポンプシステムの構成概略図。
【図３】第１実施形態に係るリモートコントローラの構成を模式的に示す図。
【図４】第１実施形態に係るリモートコントローラの外観図。
【図５】第１実施形態に係るヒートポンプシステムの全体的な動作の流れを表すフローチャート。
【図６】第１実施形態に係るヒートポンプシステムの全体的な動作の流れを表すフローチャート。
【図７】第２実施形態に係るヒートポンプシステムの全体構成の概念図。
【図８】第２実施形態に係るリモートコントローラの構成を模式的に示す図。
【図９】第２実施形態に係るヒートポンプシステムの全体的な動作の流れを表すフローチャート。
【図１０】第２実施形態に係るヒートポンプシステムの全体的な動作の流れを表すフローチャート。
【図１１】その他の実施形態（ｃ）に係るヒートポンプシステムの構成概略図。
【図１２】その他の実施形態（ｄ）に係るヒートポンプシステムの構成概略図。
【図１３】図２のヒートポンシステムにおいて、第１及び第２利用ユニットが共に１台である場合の構成概略図。
【図１４】図１１のヒートポンシステムにおいて、第１及び第２利用ユニットが共に１台である場合の構成概略図。
【図１５】図２のヒートポンシステムにおいて、第１利用ユニットが２台かつ第２利用ユニットが１台である場合の構成概略図。
【図１６】図１１のヒートポンシステムにおいて、第１利用ユニットが２台かつ第２利用ユニットが１台である場合の構成概略図。
【図１７】図２のヒートポンシステムにおいて、第１及び第２利用ユニットが共に２台である場合の構成概略図。
【図１８】図１１のヒートポンシステムにおいて、第１及び第２利用ユニットが共に２台である場合の構成概略図。
【発明を実施するための形態】
【００２７】
以下、本発明に係るヒートポンプシステムについて、図面を用いて詳述する。
【００２８】
＜第１実施形態＞
（１）ヒートポンプシステムの概要
図１は、本発明の第１実施形態に係るヒートポンプシステム１の構成を概念的に示す図である。図１に示すように、本実施形態に係るヒートポンプシステム１は、熱源ユニット２、第１利用ユニット４ａ、貯湯ユニット８ａ、温水暖房ユニット９ａ、第２利用ユニット１０ａ，１０ｂ、温度センサ１０７ａ，１０７ｂ（温度検知部に相当）、及びリモートコントローラ１１ａ，１１ｂ，１１ｃを備える。熱源ユニット２は、屋外に１台設置されている。第１利用ユニット４ａ、貯湯ユニット８ａ、温水暖房ユニット９ａは、それぞれ１台ずつ屋内に設置されており、第２利用ユニット１０ａ，１０ｂは、屋内に２台設置されている。第２利用ユニット１０ａ，１０ｂそれぞれは室内機であって、１つの対象空間ｓｑ内の天井に所定間隔離れて設置されている。また、当該対象空間ｓｑ内には、例えばラジエータや床暖房パネルである温水暖房ユニット９ａも設置されている。温度センサ１０７ａ，１０７ｂは、第２利用ユニット１０ａ，１０ｂに設けられており、リモートコントローラ１１ａ，１１ｂ，１１ｃは、各利用ユニット４ａ，１０ａ，１０ｂそれぞれに対応するようにして、対象空間内ｓｑの壁面等に設置されている。
【００２９】
また、熱源ユニット２は、各利用ユニット４ａ，１０ａ，１０ｂに接続されており、第１利用ユニット４ａは、貯湯ユニット８ａ及び温水暖房ユニット９ａそれぞれとも接続されている。第２利用ユニット１０ａ，１０ｂは、熱源ユニット２に対し並列に接続されている。リモートコントローラ１１ａ，１１ｂは、第２利用ユニット１０ａ，１０ｂそれぞれに接続されており、該利用ユニット１０ａ，１０ｂそれぞれを遠隔制御することができる。リモートコントローラ１１ｃは、温水暖房ユニット９ａに接続されており、温水暖房ユニット９ａを介して第１利用ユニット４ａを遠隔制御することができる。
【００３０】
このようなヒートポンプシステム１は、蒸気圧縮式のヒートポンプサイクルを利用して水媒体を加熱する運転や、当該水媒体を利用して対象空間ｓｑ内の空気を温めたりする運転等を行うことができる。具体的には、ヒートポンプシステム１は、以下の（Ｉ）〜（Ｖ）のモードで運転を行うことが可能となっている。
【００３１】
（Ｉ）第１利用ユニット４ａが給湯運転（具体的には、第１利用ユニット４ａに加え、貯湯ユニット８ａ及び／または温水暖房ユニット９ａも運転する）を行う、給湯モード。
【００３２】
（ＩＩ）第２利用ユニット１０ａ，１０ｂのみが冷房運転を行うことで、対象空間ｓｑ内に対し冷房を行う、冷房モード。
【００３３】
（ＩＩＩ）第２利用ユニット１０ａ，１０ｂのみが暖房運転を行うことで、対象空間ｓｑ内に対し暖房を行う、暖房モード。
【００３４】
（ＩＶ）第１利用ユニット４ａが給湯運転を行うと共に第２利用ユニット１０ａ，１０ｂが冷房運転を行う、給湯冷房モード。
【００３５】
（Ｖ）第１利用ユニット４ａが給湯運転を行うと共に第２利用ユニット１０ａ，１０ｂが暖房運転を行う、給湯暖房モード（本発明に係るモードに相当）。
【００３６】
尚、図１では、一例として、温水暖房ユニット９ａが床暖房パネルである場合を図示している。
【００３７】
（２）構成
図２は、本実施形態に係るヒートポンプシステム１の構成を概略的に示す図である。図２に示すように、熱源ユニット２と第１利用ユニット４ａと第２利用ユニット１０ａ，１０ｂとが冷媒連絡管１２，１３，１４を介して接続されることにより、熱源側冷媒回路２０が構成されている。第１利用ユニット４ａと貯湯ユニット８ａと温水暖房ユニット９ａとが水媒体連絡管１５ａ，１６ａを介して接続されることによって、水媒体回路８０ａが構成されている。熱源側冷媒回路２０には、ＨＦＣ系冷媒の一種であるＨＦＣ−４１０Ａが熱源側冷媒として封入されており、またＨＦＣ系冷媒に対して相溶性を有するエステル系またはエーテル系の冷凍機油が熱源側圧縮機２１（後述）の潤滑のために封入されている。また、水媒体回路８０ａには、水媒体としての水が循環するようになっている。
【００３８】
以下では、図２を用いて、ヒートポンプシステム１が備える各ユニットについて詳述する。
【００３９】
（２―１）熱源ユニット
熱源ユニット２は、冷媒連絡管１２，１３，１４を介して各利用ユニット４ａ，１０ａ，１０ｂと接続されており、熱源側冷媒回路２０の一部を構成している。
【００４０】
熱源ユニット２は、主として、熱源側圧縮機２１、油分離機構２２、熱源側切換機構２３、熱源側熱交換器２４、熱源側膨張機構２５、吸入戻し管２６、過冷却器２７、及び熱源側アキュムレータ２８を有している。
【００４１】
熱源側圧縮機２１は、熱源側冷媒を圧縮するための機構である。本実施形態では、熱源側圧縮機２１としては、ケーシング（図示せず）内に収容されたロータリ式やスクロール式等の容積式の圧縮要素（図示せず）が、同じくケーシング内に収容された熱源側圧縮機モータ２１ａによって駆動される密閉式圧縮機が採用されている。この熱源側圧縮機２１のケーシング内には、圧縮要素において圧縮された後の熱源側冷媒が充満する高圧空間（図示せず）が形成されており、この高圧空間には、冷凍機油が溜められている。熱源側圧縮機モータ２１ａは、インバータ装置（図示せず）によってその回転数（即ち、運転周波数）を可変でき、これにより熱源側圧縮機２１の容量制御が可能になっている。
【００４２】
油分離機構２２は、熱源側圧縮機２１から吐出された熱源側冷媒中に含まれる冷凍機油を分離して熱源側圧縮機の吸入に戻すための機構である。油分離機構２２は、主として、熱源側圧縮機２１の熱源側吐出管２１ｂに設けられた油分離器２２ａと、油分離器２２ａと熱源側圧縮機２１の熱源側吸入管２１ｃとを接続する油戻し管２２ｂとを有している。油分離器２２ａは、熱源側圧縮機２１から吐出された熱源側冷媒中に含まれる冷凍機油を分離する機器である。油戻し管２２ｂは、キャピラリチューブを有しており、油分離器２２ａにおいて熱源側冷媒から分離された冷凍機油を熱源側圧縮機２１の熱源側吸入管２１ｃに戻す冷媒管である。
【００４３】
熱源側切換機構２３は、熱源側熱交換器２４を熱源側冷媒の放熱器として機能させる熱源側放熱運転状態と熱源側熱交換器２４を熱源側冷媒の蒸発器として機能させる熱源側蒸発運転状態とを切り換え可能な四路切換弁で構成されている。熱源側切換機構２３は、熱源側吐出管２１ｂ、熱源側吸入管２１ｃ、熱源側熱交換器２４のガス側に接続された第１熱源側ガス冷媒管２３ａ、及びガス側閉鎖弁３０に接続された第２熱源側ガス冷媒管２３ｂに接続されている。そして、熱源側切換機構２３は、熱源側吐出管２１ｂと第１熱源側ガス冷媒管２３ａとを連通させるとともに、第２熱源側ガス冷媒管２３ｂと熱源側吸入管２１ｃとを連通（熱源側放熱運転状態。図１の熱源側切換機構２３の実線）する切換を行うことが可能である。また、熱源側切換機構２３は、熱源側吐出管２１ｂと第２熱源側ガス冷媒管２３ｂとを連通させるとともに、第１熱源側ガス冷媒管２３ａと熱源側吸入管２１ｃとを連通（熱源側蒸発運転状態。図１の熱源側切換機構２３の破線）する切換を行うことが可能である。尚、本実施形態では、熱源側切換機構２３が四路切換弁で構成される場合を例に採っているが、熱源側切換機構２３は、熱源側冷媒の流れ方向を切り換えられればよいため、四路切換弁に限定されない。熱源側切換機構２３は、例えば複数の電磁弁で構成されていてもよい。
【００４４】
熱源側熱交換器２４は、熱源側冷媒と室外空気との熱交換を行うことで熱源側冷媒の放熱器又は蒸発器として機能する熱交換器である。熱源側熱交換器２４の液側は、熱源側液冷媒管２４ａに接続され、該熱交換器２４のガス側は、第１熱源側ガス冷媒管２３ａに接続されている。この熱源側熱交換器２４の熱交換に用いられる室外空気は、熱源側ファンモータ３２ａにより回転駆動される熱源側ファン３２によって供給されるようになっている。
【００４５】
熱源側膨張機構２５は、熱源側熱交換器２４を流れる熱源側冷媒の減圧等を行う電動膨張弁であり、熱源側液冷媒管２４ａに設けられている。
【００４６】
吸入戻し管２６は、熱源側液冷媒管２４ａを流れる熱源側冷媒の一部を分岐して熱源側圧縮機２１の吸入に戻す冷媒管であって、一端が熱源側液冷媒管２４ａに接続されており、その他端が熱源側吸入管２１ｃに接続されている。また、吸入戻し管２６には、例えば電動膨張弁で構成される開度制御が可能な吸入戻し膨張弁２６ａが設けられている。
【００４７】
過冷却器２７は、熱源側液冷媒管２４ａを流れる熱源側冷媒と吸入戻し管２６を流れる熱源側冷媒（具体的には、吸入戻し膨張弁２６ａによって減圧された後の冷媒）との熱交換を行う熱交換器である。
【００４８】
熱源側アキュムレータ２８は、熱源側吸入管２１ｃに設けられており、熱源側冷媒回路２０を循環する熱源側冷媒を熱源側吸入管２１ｃから熱源側圧縮機２１に吸入される前に一時的に溜めるための容器である。
【００４９】
また、熱源側液冷媒管２４ａと冷媒連絡管１３との接続部には液側閉鎖弁２９が設けられ、第２熱源側ガス冷媒管２３ｂと冷媒連絡管１４との接続部にはガス側閉鎖弁３０が設けられている。熱源側吐出管２１ｂから分岐された熱源側吐出分岐管２１ｄと冷媒連絡管１２との接続部には、吐出側閉鎖弁３１が設けられている。
【００５０】
また、熱源ユニット２には、各種センサが設けられている。センサの種類としては、熱源側圧縮機２１の吸入側において熱源側冷媒の圧力を検出する熱源側吸入圧力センサ３３、熱源側圧縮機２１の吐出側において熱源側冷媒の圧力を検出する熱源側吐出圧力センサ３４、熱源側熱交換器２４の液側において熱源側冷媒の温度を検出する熱源側熱交温度センサ３５、外気温度を検出する外気温度センサ３６が挙げられる。
【００５１】
（２−２）第１利用ユニット
第１利用ユニット４ａは、冷媒連絡管１２，１３を介して熱源ユニット２及び第２利用ユニット１０ａ，１０ｂに接続されており、熱源側冷媒回路２０の一部を構成している。また、第１利用ユニット４ａは、水媒体連絡管１５ａ，１６ａを介して貯湯ユニット８ａ及び温水暖房ユニット９ａに接続されており、水媒体回路８０ａの一部を構成している。
【００５２】
このような第１利用ユニット４ａは、主として、第１利用側熱交換器４１ａと、第１利用側流量調節弁４２ａと、循環ポンプ４３ａとを有している。
【００５３】
第１利用側熱交換器４１ａは、熱源側冷媒と水媒体との熱交換を行うことで熱源側冷媒の放熱器として機能する熱交換器である。第１利用側熱交換器４１ａにおいて、熱源側冷媒が流れる流路の液側には、第１利用側液冷媒管４５ａが接続されており、当該流路のガス側には、第１利用側吐出冷媒管４６ａが接続されている。そして、第１利用側熱交換器４１ａにおいて、水媒体が流れる流路の入口側には、第１利用側水入口管４７ａが接続されており、当該水媒体が流れる流路の出口側には、第１利用側水出口管４８ａが接続されている。尚、第１利用側液冷媒管４５ａには、冷媒連絡管１３が接続されており、第１利用側吐出冷媒管４６ａには、冷媒連絡管１２が接続されている。第１利用側水入口管４７ａには、水媒体連絡管１５ａが接続されており、第１利用側水出口管４８ａには、水媒体連絡管１６ａが接続されている。
【００５４】
第１利用側流量調節弁４２ａは、開度制御を行うことで第１利用側熱交換器４１ａを流れる熱源側冷媒の流量を可変することが可能な電動膨張弁であり、第１利用側液冷媒管４５ａに設けられている。
【００５５】
第１利用側吐出冷媒管４６ａには、冷媒連絡管１２から第１利用側熱交換器４１ａへ向かう熱源側冷媒の流れを許容し、第１利用側熱交換器４１ａから冷媒連絡管１２へ向かう熱源側冷媒の流れを禁止する第１利用側吐出逆止弁４９ａが設けられている。
【００５６】
循環ポンプ４３ａは、水媒体の昇圧を行う機構であって、第１利用側水出口管４８ａに設けられている。循環ポンプ４３ａは、第１利用側熱交換器４１ａにて熱交換を行う水媒体が流れる水媒体回路８０ａにおいて、当該水媒体を循環させることが可能となっている。本実施形態では、循環ポンプ４３ａとして、遠心式や容積式のポンプ要素（図示せず）が循環ポンプモータ４４ａによって駆動されるポンプが採用されている。循環ポンプモータ４４ａは、インバータ装置（図示せず）によってその回転数（即ち、運転周波数）を可変でき、これにより循環ポンプ４３ａの容量制御が可能となっている。
【００５７】
このような構成を有する第１利用ユニット４ａは、第１利用側熱交換器４１ａを冷媒連絡管１２から導入される熱源側冷媒の放熱器として機能させることで、第１利用側熱交換器４１ａにおいて放熱した熱源側冷媒を冷媒連絡管１３に導出し、第１利用側熱交換器４１ａにおける熱源側冷媒の放熱によって水媒体を加熱する給湯運転を行うことが可能になっている。このように、第１利用ユニット４ａが給湯運転を行う場合としては、ヒートポンプシステム１の“給湯モード”“給湯暖房モード”に相当する。
【００５８】
また、第１利用ユニット４ａには、各種センサが設けられている。センサの種類としては、第１利用側熱交換器４１ａの液側における熱源側冷媒の温度を検出する第１利用側熱交温度センサ５０ａ、第１利用側熱交換器４１ａの入口における水媒体の温度を検出する水媒体出口温度センサ５１ａ、第１利用側熱交換器４１ａの出口における水媒体の温度を検出する水媒体出口温度センサ５２ａが挙げられる。
【００５９】
尚、第１利用ユニット４ａは、図示してはいないが、第１利用ユニット４ａの各機器を制御するための制御部を有している。
【００６０】
（２−３）貯湯ユニット
貯湯ユニット８ａは、水媒体連絡管１５ａ，１６ａを介して第１利用ユニット４ａに接続されており、水媒体回路８０ａの一部を構成している。貯湯ユニット８ａは、主として、貯湯タンク８１ａと、熱交換コイル８２ａとを有している。
【００６１】
貯湯タンク８１ａは、給湯に利用される水媒体としての水を溜める容器である。貯湯タンク８１ａの上部には、蛇口やシャワー等に温められた水媒体を送るための給湯管８３ａが接続されており、下部には、給湯管８３ａによって消費された水媒体の補充を行うための給水管８４ａが接続されている。
【００６２】
熱交換コイル８２ａは、貯湯タンク８１ａ内に設けられており、水媒体回路８０ａを循環する水媒体と貯湯タンク８１ａ内の水媒体との熱交換を行うことで貯湯タンク８１ａ内の水媒体を加熱する（即ち、熱交換器として機能）。熱交換コイル８２ａの入口には、水媒体連絡管１６ａが接続されており、出口には、水媒体連絡管１５ａが接続されている。
【００６３】
このような構成を有する貯湯ユニット８ａは、第１利用ユニット４ａにて加熱された水循環回路８０ａ中の水媒体（つまり、温水）により、貯湯タンク８１ａ内の水媒体を加熱し、加熱後の水を貯留することが可能となっている。尚、本実施形態においては、貯湯ユニット８ａが、第１利用ユニット４ａにて加熱された水媒体との熱交換によって加熱された水媒体を貯湯タンクに溜める型式のユニットである場合について説明している。しかし、貯湯ユニットとしては、第１利用ユニット４ａにおいて加熱された水媒体そのものを貯湯タンクに溜める型式のユニットが採用されてもよい。
【００６４】
また、貯湯ユニット８ａには、各種センサが設けられている。センサの種類としては、貯湯タンク８１ａに溜められる水媒体の温度を検出するための貯湯温度センサ８５ａ等が挙げられる。
【００６５】
尚、貯湯ユニット８ａは、図示してはいないが、貯湯ユニット８ａの各機器を制御するための制御部を有している。
【００６６】
（２―４）温水暖房ユニット
温水暖房ユニット９ａは、水媒体連絡管１５ａ，１６ａを介して第１利用ユニット４ａに接続されており、水媒体回路８０ａの一部を構成している。温水暖房ユニット９ａは、主として、熱交換パネル９１ａを有している。
【００６７】
熱交換パネル９１ａは、床暖房パネルであって、対象空間ｓｑ内の床下等に設けられている。熱交換パネル９１ａは、水媒体回路８０ａを循環する水媒体の放熱器として機能する熱交換器であり、熱交換パネル９１ａの入口には、水媒体連絡管１６ａが接続されており、出口には、水媒体連絡管１５ａが接続されている。
【００６８】
尚、温水暖房ユニット９ａと第１利用ユニット４ａとを接続している水媒体連絡管１６ａ上には、三方弁からなる水媒体側切換機構１６１ａが設けられている。水媒体側切換機構１６１ａは、水媒体回路８０ａを循環する水媒体が貯湯ユニット８ａ及び温水暖房ユニット９ａの両方、又は、貯湯ユニット８ａ及び温水暖房ユニット９ａのいずれか一方に供給されるように、水媒体の流路切換を行うことができる。特に、水媒体回路８０ａを循環する水媒体（具体的には、温水）が温水暖房ユニット９ａに供給されると、対象空間ｓｑ内の床が加熱されるようになる。つまり、第１利用ユニット４ａの第１利用側熱交換器４１ａにて加熱された水媒体は、対象空間ｓｑの暖房に用いられることができる。ここで、上記のように温水が温水暖房ユニット９ａに供給される場合は、ヒートポンプシステム１が“給湯モード”“給湯暖房モード”である場合に該当する。
【００６９】
尚、温水暖房ユニット９ａは、図示してはいないが、温水暖房ユニット９ａの各機器を制御するための制御部を有している。
【００７０】
（２−５）第２利用ユニット
第２利用ユニット１０ａ，１０ｂは、冷媒連絡管１３，１４を介して熱源ユニット２に接続されており、熱源側冷媒回路２０の一部を構成している。
【００７１】
第２利用ユニット１０ａ，１０ｂは、主として、それぞれ第２利用側熱交換器１０１ａ，１０１ｂ、第２利用側流量調節弁１０２ａ，１０２ｂ、及び利用側ファン１０５ａ，１０５ｂ（本発明に係るファンに相当）を有している。尚、第２利用ユニット１０ａ，１０ｂは、このようにいずれも同様の構成を有している。そのため、図２においては、第２利用ユニット１０ａ，１０ｂを構成する各機器の符号の数字部分については同じ数字を付しているが、第２利用ユニット１０ａの各機器は符号の添字「ａ」で表し、第２利用ユニット１０ｂの各機器は符号の添字「ｂ」で表している。以下では、説明の便宜上、第２利用ユニット１０ａの各機器を例に採り説明する。
【００７２】
第２利用側熱交換器１０１ａは、熱源側冷媒と空気媒体としての室内空気との熱交換を行うことで、熱源側冷媒の放熱器又は蒸発器として機能する熱交換器である。第２利用側熱交換器１０１ａの液側には、第２利用側液冷媒管１０３ａが接続され、ガス側には第２利用側ガス冷媒管１０４ａが接続されている。第２利用側液冷媒管１０３ａ、第２利用側ガス冷媒管１０４ａには、それぞれ冷媒連絡管１３、冷媒連絡管１４が接続されている。尚、この第２利用側熱交換器１０１ａの熱交換に用いられる空気媒体は、利用側ファン１０５ａによって対象空間ｓｑ内から供給されるようになっている。
【００７３】
第２利用側流量調節弁１０２ａは、開度制御を行うことで第２利用側熱交換器１０１ａを流れる熱源側冷媒の流量を可変することが可能な電動膨張弁であり、第２利用側液冷媒管１０３ａに設けられている。
【００７４】
利用側ファン１０５ａは、対象空間ｓｑ内の空気が空気媒体として第２利用ユニット１０ａのケーシング（図示せず）内部へと流れると共に、第２利用側熱交換器１０１ａにて熱交換された後の空気媒体（つまり、空調空気）が対象空間ｓｑ内に供給される空気流を生成する。利用側ファン１０５ａは、利用側ファンモータ１０６ａと接続されており、利用側ファンモータ１０６ａによって回転駆動される。
【００７５】
このような構成を有する第２利用ユニット１０ａ，１０ｂでは、熱源側切換機構２３が熱源側放熱運転状態である場合、第２利用側熱交換器１０１ａ，１０１ｂが冷媒連絡管１３から導入される熱源側冷媒の蒸発器として機能し、第２利用側熱交換器１０１ａ，１０１ｂにおいて蒸発した熱源側冷媒が冷媒連絡管１４に導出されると、第２利用側熱交換器１０１ａ，１０１ｂにおける熱源側冷媒の蒸発によって空気媒体を冷却する冷房運転を行うことが可能になっている（ヒートポンプシステム１の“冷房モード”“給湯冷房モード”に相当）。また、第２利用ユニット１０ａ，１０ｂでは、熱源側切換機構２３が熱源側蒸発運転状態である場合、第２利用側熱交換器１０１ａ，１０１ｂが冷媒連絡管１４から導入される熱源側冷媒の放熱器として機能し、第２利用側熱交換器１０１ａ，１０１ｂにおいて放熱した熱源側冷媒が冷媒連絡管１３に導出されると、第２利用側熱交換器１０１ａ，１０１ｂにおける熱源側冷媒の放熱によって空気媒体を加熱する暖房運転を行うことが可能になっている（ヒートポンプシステム１の“暖房モード”“給湯暖房モード”に相当）。
【００７６】
尚、第２利用ユニット１０ａ，１０ｂは、図示してはいないが、第２利用ユニット１０ａ，１０ｂの各機器を制御するための制御部を有している。
【００７７】
（２−６）温度センサ
温度センサ１０７ａ，１０７ｂは、上述した第２利用ユニット１０ａ，１０ｂに設けられている。より具体的には、温度センサ１０７ａ，１０７ｂは、第２利用ユニット１０ａ，１０ｂのケーシング（図示せず）に形成された吸い込み口（図示せず）付近に設けられている。温度センサ１０７ａ，１０７ｂは、吸い込み口から第２利用ユニット１０ａ，１０ｂのケーシング内に吸い込まれてきた空気、つまり対象空間ｓｑにおける温度Ｔｒを検出する。例えば、ヒートポンプシステム１が“給湯暖房モード”であれば、温度センサ１０７ａ，１０７ｂは、第１利用側熱交換器４１ａにて熱交換された水媒体及び第２利用側熱交換器１０１ａ，１０１ｂにて熱交換された空気媒体を利用して暖房が行われている対象区間ｓｑ内の温度Ｔｒを検知することができる。
【００７８】
尚、本実施形態では、温度センサ１０７ａ，１０７ｂによって検知された温度Ｔｒは、第１利用ユニット４ａの運転制御に用いられるが、その詳細については後述する。
【００７９】
（２−７）リモートコントローラ
リモートコントローラ１１ａ，１１ｂ，１１ｃは、主として、表示部及び操作部を有している。ユーザは、各リモートコントローラ１１ａ，１１ｂ，１１ｃを介して、接続先の各ユニットに関する設定を行ったり、各種運転に関する指示を行ったりすることができる。
【００８０】
特に、本実施形態では、リモートコントローラ１１ａ，１１ｂ，１１ｃのうち、第２利用ユニット１０ａに接続されているリモートコントローラ１１ａは、第２利用ユニット１０ａの運転制御のみではなく、第１利用ユニット４ａの運転制御、第１利用ユニット４ａと第２利用ユニット１０ａとの連動制御を行う。よって、以下では、リモートコントローラ１１ａの構成について説明する。
【００８１】
リモートコントローラ１１ａは、図３及び図４に示すように、第１通信部１１１ａ、第２通信部１１２ａ、操作部１１３ａ、表示部１１４ａ及び制御部１１５ａを有している。
【００８２】
〔第１通信部〕
第１通信部１１１ａは、第１利用ユニット４ａと通信を行うためのものであって、第１利用ユニット４ａに対し第１運転制御情報を出力したり、第１利用ユニット４ａの現在の運転状況を示す第１運転状況情報を第１利用ユニット４ａから取得したりする。第１運転制御情報としては、第１利用ユニット４ａの運転のオン及びオフ（具体的には、サーモオフ及びサーモオン）の指示や、サーモオン及びサーモオフに関連する循環ポンプ４３ａの流量制御指示、第１利用側流量調節弁４２ａの開度制御指示等が挙げられる。第１運転状況情報としては、第１利用ユニット４ａが現在給湯運転を行っているか否かといった情報や、第１利用ユニット４ａの目標設定温度等が挙げられる。
【００８３】
第１通信部１１１ａが出力する第１運転制御情報は、第１利用ユニット制御部１１９ａ（後述）として機能する制御部１１５ａにより決定される。第１通信部１１１ａが出力した第１運転制御情報は、第１利用ユニット４ａにおける制御部（図示せず）によって受信され、第１運転制御情報に基づき第１利用ユニット４ａの各機器が制御されることになる。また、第１利用ユニット４ａの現在の運転状況等は、第１利用ユニット４ａにおける制御部（図示せず）によって把握され、第１通信部１１１ａは、第１利用ユニット４ａの制御部（図示せず）によって把握された内容を、第１運転状況情報として取得する。
【００８４】
〔第２通信部〕
第２通信部１１２ａは、第２利用ユニット１０ａ，１０ｂと通信を行うためのものである。第２通信部１１２ａは、第２利用ユニット１０ａ，１０ｂに対し第２運転制御情報を出力したり、第２利用ユニット１０ａ，１０ｂの現在の運転状況を示す第２運転状況情報を取得したりする。また、第２通信部１１２ａは、第２利用ユニット１０ａ，１０ｂに設けられている温度センサ１０７ａ，１０７ｂの検知結果（つまり、対象空間ｓｑ内の温度Ｔｒ）を、各第２利用ユニット１０ａ，１０ｂを介して取得する。第２利用ユニット１０ａに対する第２運転制御情報としては、運転のオン及びオフ（つまり、サーモオフ及びサーモオン）の指示や、サーモオン及びサーモオフに関連する第２利用側流量調節弁１０２ａ，１０２ｂの開度制御指示、対象空間ｓｑ内へと吹き出される風量の強弱の制御指示、利用側ファン１０５ａの駆動指示、温度センサ１０７ａによる検知結果の出力指示等が挙げられる。また、第２利用ユニット１０ｂに対する第２運転制御情報としては、利用側ファン１０５ｂの駆動指示や、温度センサ１０７ｂによる検知結果の出力指示等が挙げられる。第２運転状況情報としては、現在第２利用ユニット１０ａ，１０ｂそれぞれが現在運転を行っている状態であるのか、それとも運転を停止している状態であるのかといった情報の他、第２利用ユニット１０ａ，１０ｂそれぞれが行っている運転の種類を示す情報等が挙げられる。
【００８５】
第２通信部１１２ａが出力する第２運転制御情報は、第２利用ユニット制御部１２０ａ（後述）として機能する制御部１１５ａにより決定される。第２通信部１１２ａが出力した第２運転制御情報は、各第２利用ユニット１０ａ，１０ｂにおける制御部（図示せず）によって受信され、第２運転制御情報に基づき第２利用ユニット１０ａ，１０ｂ（特に、第２利用ユニット１０ａ）の各機器が制御されることになる。また、各第２利用ユニット１０ａ，１０ｂの現在の運転状況等は、各第２利用ユニット１０ａ，１０ｂにおける制御部（図示せず）によって把握され、第２通信部１１２ａは、各第２利用ユニット１０ａ，１０ｂの制御部（図示せず）によって把握された内容を、第２運転状況情報として取得する。
【００８６】
〔操作部〕
操作部１１３ａは、ヒートポンプシステム１を利用するユーザによって各種設定がなされる際に用いられるものであって、図４に示すように、様々なボタンで構成されている。操作部１１３ａは、ユーザによってボタンが押されることで各種設定がなされると、これを受け付ける。ユーザによってなされる各種設定としては、リモートコントローラ１１ａの接続先である第２利用ユニット１０ａの目標設定温度Ｔｏの変更や、第２利用ユニット１０ａが行う運転の種類の指示、運転停止指示や運転開始指示等が挙げられる。
【００８７】
〔表示部〕
表示部１１４ａは、液晶ディスプレイで構成されており、第２利用ユニット１０ａにおいて現在設定されている目標設定温度Ｔｏや（図４）、ユーザが操作部１１３ａを介して各種設定を行う際の設定に関する情報等を表示することができる。
【００８８】
特に、本実施形態に係る表示部１１４ａは、図４に示すように、第１利用ユニット４ａと連動して運転制御される第２利用ユニット１０ａを連動ユニットとして示す連動ユニット情報Ｉｎｆ１、及び当該連動ユニット（具体的には、第２利用ユニット１０ａ）と第１利用ユニット４ａとが現在連動して運転制御されているか否かを示す連動運転制御情報Ｉｎｆ２を表示することができる。ここで、図４では、第２利用ユニット１０ａ，１０ｂのうち第２利用ユニット１０ａが第１利用ユニット４ａと連動して運転制御される場合の連動ユニット情報Ｉｎｆ１として、第２利用ユニット“１０ａ”が連動ユニットである旨が表されている。また、図４では、連動ユニットである第２利用ユニット１０ａと第１利用ユニット４ａとを制御部１１５ａが連動して運転制御している状態時に表示される連動運転制御情報Ｉｎｆ２の一例を示している。
【００８９】
〔制御部〕
制御部１１５ａは、ＣＰＵ及びＲＡＭで構成されるマイクロコンピュータであって、図３に示すように、各通信部１１１ａ，１１２ａ、操作部１１３ａ、表示部１１４ａと接続されている。制御部１１５ａは、接続されたこれらの機器それぞれを制御する。特に、本実施形態に係る制御部１１５ａは、接続されている第２利用ユニット１０ａの運転制御の他、各温度センサ１０７ａ，１０７ｂにより検知された温度Ｔｒ（つまり、検知結果）と第２利用ユニット１０ａの目標設定温度Ｔｏとに基づいて、第１利用ユニット４ａの運転のオン及びオフを制御する。更に、制御部１１５ａは、第２利用ユニット１０ａと第１利用ユニット４ａとを連動して運転制御することができる。
【００９０】
このような動作を行うため、制御部１１５ａは、図３に示すように、通信制御部１１６ａ、モード把握部１１７ａ、温度差算出部１１８ａ、第１利用ユニット制御部１１９ａ、及び第２利用ユニット制御部１２０ａとして機能する。
【００９１】
−通信制御部−
通信制御部１１６ａは、第１及び第２通信部１１１ａ，１１２ａの通信制御を行う。
【００９２】
例えば、通信制御部１１６ａは、第１利用ユニット４ａの第１運転状況情報及び各第２利用ユニット１０ａ，１０ｂの第２運転状況情報を、定期的（例えば５分毎）に第１通信部１１１ａ及び第２通信部１１２ａに取得させる。
【００９３】
また、通信制御部１１６ａは、ヒートポンプシステム１が“給湯暖房モード”であって、かつ第２利用ユニット１０ａ，１０ｂのうち少なくとも１つが運転を停止している状態にある場合には、運転を停止している第２利用ユニット１０ａ，１０ｂに対し、利用側ファン１０５ａ，１０５ｂを所定時間（例えば１分程度）駆動させる旨の第２運転制御情報を、第２通信部１１２ａに出力させる。そして、利用側ファン１０５ａ，１０５ｂが駆動を開始した旨の第２運転状況情報を第２通信部１１２ａが取得すると、通信制御部１１６ａは、温度センサ１０７ａ，１０７ｂそれぞれによって検知された対象空間ｓｑ内の最新の温度Ｔｒを、第２通信部１１２ａに取得させる。
【００９４】
また、通信制御部１１６ａは、上記モード時に第２利用ユニット１０ａ，１０ｂが運転を行っている状態であれば、温度センサ１０７ａ，１０７ｂそれぞれによる検知結果の出力指示を定期的（例えば５分毎）に第２通信部１１２ａに出力させると共に、当該センサ１０７ａ，１０７ｂによって検知された対象空間ｓｑ内の最新の温度Ｔｒを、第２通信部１１２ａに取得させる。
【００９５】
更に、通信制御部１１６ａは、対象空間ｓｑ内の最新の温度Ｔｒに基づいて第１運転制御情報及び第２運転制御情報が第１利用ユニット制御部１１９ａ及び第２利用ユニット制御部１２０ａそれぞれによって決定されれば、第１利用ユニット４ａ及び第２利用ユニット１０ａに対し、決定された第１運転制御情報及び第２運転制御情報を第１通信部１１１ａ及び第２通信部１１２ａそれぞれに出力させる。
【００９６】
−モード把握部−
モード把握部１１７ａは、第１運転状況情報及び第２運転状況情報等に基づいて、ヒートポンプシステム１の現在のモードを把握する。例えば、第１運転状況情報が「第１利用ユニット４ａが給湯運転を行っている」という情報であって、第２運転状況情報が「第２利用ユニット１０ａ，１０ｂ全てが電源をオフしている」という情報であれば、モード把握部１１７ａは、ヒートポンプシステム１の現在のモードが“給湯モード”であると把握する。また、第１運転状況情報が「第１利用ユニット４ａが給湯運転を行っている」という情報であって、第２運転状況情報が「第２利用ユニット１０ａ，１０ｂの少なくとも１台が暖房運転を行っている」という情報であれば、モード把握部１１７ａは、ヒートポンプシステム１の現在のモードが“給湯暖房モード”であると把握する。
【００９７】
−温度差算出部−
温度差算出部１１８ａは、第２通信部１１２ａが温度センサ１０７ａ，１０７ｂ全てから対象空間ｓｑ内の温度Ｔｒを取得すると、当該温度Ｔｒの平均値Ｔａｖを求める。次いで、温度差算出部１１８ａは、第２利用ユニット１０ａの目標設定温度Ｔｏから当該平均値Ｔａｖを減算することで、第２利用ユニット１０ａの目標設定温度Ｔｏと当該平均値Ｔａｖとの差を温度差Ｔｘとして求める（Ｔｘ＝Ｔｏ−Ｔａｖ）。
【００９８】
尚、本実施形態では、第２利用ユニット１０ａの目標設定温度Ｔｏから平均値Ｔａｖを減算することで温度差Ｔｘが求められる場合について説明するが、温度差Ｔｘは、平均値Ｔａｖから第２利用ユニット１０ａの目標設定温度Ｔｏを減算することで求められてもよい。
【００９９】
−第１利用ユニット制御部−
第１利用ユニット制御部１１９ａは、モード把握部１１７ａによる把握結果と、温度差算出部１１８ａによって求められた温度差Ｔｘとに基づいて、第１利用ユニット４ａの運転をオン（サーモオン）またはオフ（サーモオフ）させるための第１運転制御情報を生成する。
【０１００】
例えば、モード把握部１１７ａによる把握結果が“給湯暖房モード”である場合を例に取る。先ず、第１利用ユニット制御部１１９ａは、温度差Ｔｘと所定値Ｔａとを比較する。ここで、所定値Ｔａは、プラスの値であって、具体的には“１℃”や“２℃”等が挙げられる。温度差Ｔｘが所定値Ｔａ以上であれば（Ｔｘ≧Ｔａ）、目標設定温度Ｔｏに対し対象空間ｓｑ内の温度Ｔｒが全体的に比較的低い状態にあるということになるため（Ｔｏ＞Ｔｒ）、第１利用ユニット制御部１１９ａは、第１利用ユニット４ａの運転をオン（サーモオン）の状態にする旨の第１運転制御情報を生成する。つまり、温度差Ｔｘが所定値Ｔａ以上であれば、第１利用ユニット制御部１１９ａは、第１利用ユニット４ａが給湯運転を行うことで水媒体が加熱され、当該水媒体が温水暖房ユニット９ａによる対象空間ｓｑ内の暖房に用いられるようにする。
【０１０１】
逆に、温度差Ｔｘが所定値Ｔａ以下であれば（Ｔｘ≦Ｔａ）、対象空間ｓｑ内の温度Ｔｒが全体的に目標設定温度Ｔｏに近いか、または目標設定温度Ｔｏよりも高い状態であるということになる（Ｔｏ≦Ｔｒ）。そのため、第１利用ユニット制御部１１９ａは、第１利用ユニット４ａによる給湯運転をオフ（サーモオフ）の状態にする旨の第１運転制御情報を生成する。ここで、温度差Ｔｘが所定値Ｔａよりも低い場合としては、所定値Ｔａが例えば“１℃”であるとした場合、温度差Ｔｘが１℃以下である場合が挙げられる他、温度差Ｔｘがマイナスの値である場合も挙げられる。つまり、温度差Ｔｘが所定値Ｔａ以下であれば、第１利用ユニット制御部１１９ａは、第１利用ユニット４ａの給湯運転が停止されることで温水暖房ユニット９ａによる対象空間ｓｑ内の暖房もオフされるようにする。
【０１０２】
上述のようにして生成された第１運転制御情報は、第１通信部１１１ａによって第１利用ユニット４ａに送られるが、第１利用ユニット４ａの制御部（図示せず）によって各機器の制御に用いられることとなる。
【０１０３】
尚、第１利用ユニット４ａの運転をオフ及びオフさせるための具体的な方法としては、例えば循環ポンプ４３ａをオフ及びオンにする方法や、第１利用側流量調節弁４２ａを閉じることによって、第１利用ユニット１０ａへと流れ込む冷媒の流れを止める方法等が挙げられる。
【０１０４】
また、本実施形態では、所定値Ｔａがプラスの値である場合について説明した。しかし、所定値Ｔａの値は、マイナスの値であってもよい。
【０１０５】
−第２利用ユニット制御部−
第２利用ユニット制御部１２０ａは、モード把握部１１７ａによる把握結果、及び温度差算出部１１８ａによって求められた温度Ｔｘ等に基づいて、第２利用ユニット１０ａを運転制御するための第２運転制御情報を生成する。
【０１０６】
例えば、ヒートポンプシステム１が“給湯暖房モード”であって、温度差Ｔｘが所定値Ｔａ以上であれば（Ｔｘ≧Ｔａ）、第２利用ユニット制御部１２０ａは、第２利用ユニット１０ａから対象空間ｓｑ内に供給される空調空気の量（風量）を現在よりも強めにする旨の第２運転制御情報を生成する。逆に、温度差Ｔｘが所定値Ｔａ以下であれば（Ｔｘ≦Ｔａ）、第２利用ユニット制御部１２０ａは、第２利用ユニット１０ａから対象空間ｓｑ内に供給される空調空気の量を現在よりも弱めにする旨の第２運転制御情報を生成する。ここで、対象空間ｓｑ内へと供給される空調空気の量をどの程度強めるか、または弱めるかについては、温度差Ｔｘの値の大きさに応じて適宜決定される。例えば、温度差Ｔｘの値が大きい程、対象空間ｓｑ内へと供給される空調空気の量が強めに設定され、温度差Ｔｘの値が小さい程、当該空調空気の量が弱めに設定される。また、温度差Ｔｘがマイナスの値となれば（Ｔｘ＜０）、対象空間ｓｑ内の温度Ｔｒが目標設定温度Ｔｏよりも高いことになるため、第２利用ユニット制御部１２０ａは、第２利用ユニット１０ａの運転をオフする旨の第２運転制御情報を生成する。尚、第２利用ユニット１０ａの運転をオフするための具体的な方法としては、例えば第２利用側流量調節弁１０２ａを閉じることによって、第２利用ユニット１０ａへと流れ込む冷媒の流れを止める方法等が挙げられる。
【０１０７】
上述したように、本実施形態においては、温度差Ｔｘが所定値Ｔａ以上であれば（Ｔｘ≧Ｔａ）、第２利用ユニット１０ａの暖房運転が強められるだけではなく第１利用ユニット４ａがサーモオンされ、逆に温度差Ｔｘが所定値Ｔａ以下であれば（Ｔｘ≦Ｔａ）、第２利用ユニット１０ａの暖房運転が弱められるだけではなく第１利用ユニット４ａがサーモオフされる。つまり、第１利用ユニット４ａと第２利用ユニット１０ａとは、温度差Ｔｘに基づき連動制御される。
【０１０８】
更に、本実施形態に係る第２利用ユニット制御部１２０ａは、ヒートポンプシステム１が“給湯暖房モード”であって、かつ温度検知対象の温度センサ１０７ａ，１０７ｂそれぞれを有している第２利用ユニット１０ａ，１０ｂの少なくとも１台が運転を停止している場合には、運転を停止している第２利用ユニット１０ａ，１０ｂの利用側ファン１０５ａ，１０５ｂを駆動させるための第２運転制御情報を生成する。具体的には、第２利用ユニット制御部１２０ａは、モード把握部１１７ａによる把握結果が“給湯暖房モード”である場合には、第２利用ユニット１０ａ，１０ｂからの各第２運転状況情報に基づき利用側ファン１０５ａ，１０５ｂが現在停止中である第２利用ユニット１０ａ，１０ｂを把握し、運転停止中にある利用側ファン１０５ａ，１０５ｂを所定時間（例えば、１分程度）駆動させる旨の第２運転制御情報を生成する。この制御は、利用側ファン１０５ａ，１０５ｂが停止していると、対象空間ｓｑ内の空気が第２利用ユニット１０ａ，１０ｂのケーシング（図示せず）内部に取り込まれないため、温度センサ１０７ａ，１０７ｂが現在の対象空間ｓｑ内の温度Ｔｒを検知することが困難となってしまうために行われる。つまり、間欠的に利用側ファン１０５ａ，１０５ｂを駆動させることにより、対象空間ｓｑ内の空気が第２利用ユニット１０ａ，１０ｂのケーシング（図示せず）内へと流れるため、温度センサ１０７ａ，１０７ｂは、現時点での対象空間ｓｑ内の温度Ｔｒを測定することが可能となる。
【０１０９】
上述した動作によって生成された第２運転制御情報は、第２通信部１１２ａによって第２利用ユニット１０ａや第２利用ユニット１０ｂに送られるが、第２利用ユニット１０ａ，１０ｂの制御部（図示せず）によって利用側ファン１０５ａ，１０５ｂの駆動制御等に用いられることとなる。
【０１１０】
（３）動作
次に、本実施形態に係るヒートポンプシステム１の動作について、図５及び図６を用いて説明する。尚、以下では、説明の便宜上、リモートコントローラ１１ａの制御部１１５ａの各機能部を、まとめて“制御部１１５ａ”と表している。
【０１１１】
ステップＳ１〜Ｓ３：リモートコントローラ１１ａの制御部１１５ａは、第１利用ユニット４ａの第１運転状況情報及び第２利用ユニット１０ａ，１０ｂそれぞれの第２運転状況情報を取得し、各利用ユニット４ａ，１０ａ，１０ｂの現在の状況を把握することで、ヒートポンプシステム１のモードを確認する。ヒートポンプシステム１のモードが“給湯暖房モード”であって（Ｓ１のＹｅｓ）、かつ第２利用ユニット１０ａ，１０ｂの少なくとも１つがたとえ一時的ではあったとしても現在は運転を停止している場合には（Ｓ２のＹｅｓ）、制御部１１５ａは、運転停止状態にある第２利用ユニット１０ａ，１０ｂの利用側ファン１０５ａ，１０５ｂを所定時間だけ駆動させる制御を行う（Ｓ３）。
【０１１２】
ステップＳ４：ステップＳ２において、ヒートポンプシステム１のモードは“給湯暖房モード”であるが、第２利用ユニット１０ａ，１０ｂは共に運転している状態である場合（Ｓ２のＮｏ）、及びステップＳ３において、停止していた第２利用ユニット１０ａ，１０ｂの利用側ファン１０５ａ，１０５ｂが駆動開始した場合、各第２利用ユニット１０ａ，１０ｂの温度センサ１０７ａ，１０７ｂは、対象空間ｓｑ内の温度Ｔｒを検知し、リモートコントローラ１１ａの第２通信部１１２ａは、これを取得する（Ｓ４）。
【０１１３】
ステップＳ５〜Ｓ７：第２通信部１１２ａが第２利用ユニット１０ａ，１０ｂ全てから温度Ｔｒを取得した場合（Ｓ５のＹｅｓ）、制御部１１５ａは、当該温度Ｔｒ全ての平均値Ｔａｖを算出する（Ｓ６）。そして、制御部１１５ａは、連動ユニットである第２利用ユニット１０ａの目標設定温度Ｔｏから当該平均値Ｔａｖを減算することで、温度差Ｔｘを算出する（Ｓ７）。尚、ステップＳ５において、第２通信部１１２ａが第２利用ユニット１０ａ，１０ｂ全てから温度Ｔｒを取得していない場合には（Ｓ５のＮｏ）、第２通信部１１２ａが全ての温度センサ１０７ａ，１０７ｂから温度Ｔｒを検知するまで、ヒートポンプシステム１は、ステップＳ４の動作を繰り返す。
【０１１４】
ステップＳ８〜Ｓ１０：ステップＳ７で求めた温度差Ｔｘが所定値Ｔａ以下である場合には（Ｓ８のＮｏ）、制御部１１５ａは、第１利用ユニット４ａの運転をオフ（サーモオフ）させる旨の第１運転制御情報を生成する（Ｓ９）。更に、制御部１１５ａは、第２利用ユニット１０ａの暖房運転を弱めるか、または運転を停止させる旨の第２運転制御情報を生成する。逆に、温度差Ｔｘが所定値Ｔａ以上である場合には（Ｓ８のＹｅｓ）、制御部１１５ａは、第１利用ユニット４ａの運転をオン（サーモオン）させる旨の第１運転制御情報を生成する（Ｓ１０）。更に、制御部１１５ａは、第２利用ユニット１０ａの暖房運転を強める旨の第２運転制御情報を生成する。これにより、第１利用ユニット４ａは、第１運転制御情報が第１利用ユニット４ａの運転をオフさせる旨の内容であれば、サーモオフし、第１運転制御情報が第１利用ユニット４ａの運転をオンさせる旨の内容であれば、サーモオンする。また、第２利用ユニット１０ａは、第１利用ユニット４ａに連動して対象空間ｓｑ内への風量（空調空気の量）を強めにしたり弱めにしたりする。
【０１１５】
ステップＳ１１：ヒートポンプシステム１は、ヒートポンプシステム１が“給湯暖房モード”である限り（Ｓ１１のＹｅｓ）、ステップＳ２以降の動作を繰り返し行う。ステップＳ１及びＳ１１において、ヒートポンプシステム１のモードが“給湯暖房モード”でない場合（Ｓ１のＮｏ，Ｓ１１のＮｏ）、ヒートポンプシステム１は、上述した一連の動作を終了する。ここで、ヒートポンプシステム１のモードが“給湯暖房モード”でない場合としては、ヒートポンプシステム１が完全にオフした状態であるか、“暖房モード”“冷房モード”等である場合が挙げられる。
【０１１６】
（４）効果
（Ａ）
本実施形態に係るヒートポンプシステム１によると、第２利用ユニット１０ａ，１０ｂ内の温度センサ１０７ａ，１０７ｂによって検知された対象空間ｓｑ内の温度Ｔｒと、第２利用ユニット１０ａの目標設定温度Ｔｏとに基づいて、第１利用ユニット４ａの運転のオン及びオフが制御される。従って、第１利用ユニット４ａが対象空間ｓｑ内の温度Ｔｒを検知できずとも、第１利用ユニット４ａの制御には、第２利用ユニット１０ａ，１０ｂ側で検知された温度Ｔｒが用いられるため、第１利用ユニット４ａの運転制御を適切に行うことができる。
【０１１７】
（Ｂ）
１つの対象空間ｓｑ内に第２利用ユニット１０ａ，１０ｂが複数台設置されていると、各第２利用ユニット１０ａ，１０ｂの設置位置によっては、温度センサ１０７ａ，１０７ｂが検知する対象空間ｓｑ内の温度Ｔｒの値が異なる場合がある。この場合、どの温度センサ１０７ａ，１０７ｂが検知した温度Ｔｒを用いるかによって温度差Ｔｘが異なってくるため、第１利用ユニット４ａの運転のオン及びオフの制御にも影響が及ぼされる。
【０１１８】
しかし、本実施形態に係るヒートポンプシステム１では、対象空間ｓｑ内における２台の第２利用ユニット１０ａ，１０ｂそれぞれの温度センサ１０７ａ，１０７ｂの検知結果（つまり、温度Ｔｒ）全てから当該温度Ｔｒの平均値Ｔａｖを求め、目標設定温度Ｔｏと当該平均値Ｔａｖとの温度差Ｔｘにより、第１利用ユニット４ａの運転がオン及びオフされる。従って、温度センサ１０７ａ，１０７ｂが検知する温度Ｔｒの値が異なっているとしても、第１利用ユニット４ａは、この温度Ｔｒの違いによる影響に左右されることなく、対象空間ｓｑ全体の平均温度Ｔａｖによって適切にオン及びオフされるようになる。
【０１１９】
（Ｃ）
また、本実施形態に係るヒートポンプシステム１では、第１利用ユニット４ａがどの第２利用ユニット１０ａと連動して運転されるのかを示す連動ユニット情報Ｉｎｆ１、及びこの第２利用ユニット１０ａ（即ち、連動ユニット）が現在第１利用ユニット４ａと連動して運転しているか否かを示す連動運転制御情報Ｉｎｆ２が、表示部１１４ａに表示される。これにより、当該システム１を利用するユーザは、表示部１１４ａ上に表示された連動ユニット情報Ｉｎｆ１及び連動運転制御情報Ｉｎｆ２から、連動ユニットがどの第２利用ユニットであるのか、及び現在連動運転が行われているのか否かを知ることができる。
【０１２０】
（Ｄ）
特に、本実施形態では、連動ユニット情報Ｉｎｆ１及び連動運転制御情報Ｉｎｆ２が表示される表示部１１４ａと、第１利用ユニット４ａ及び第２利用ユニット１０ａを制御する制御部１１５ａとが、第１利用ユニット４ａと連動制御される第２利用ユニット１０ａ（つまり、連動ユニット）に接続されているリモートコントローラ１１ａに含まれている。これにより、当該ヒートポンプシステム１を利用するユーザは、リモートコントローラ１１ａの表示部上から、連動ユニットがどの第２利用ユニットであるのか、及び現在連動運転が行われているのか否かを知ることができる。
【０１２１】
（Ｅ）
第２利用ユニット１０ａ，１０ｂが運転停止状態である場合には、第２利用ユニット１０ａ，１０ｂ内の利用側ファン１０５ａ，１０５ｂも駆動停止状態にある。そのため、第２利用ユニット１０ａ，１０ｂのケーシング（図示せず）内には対象空間ｓｑ内の空気が送り込まれず、温度センサ１０７ａ、１０７ｂは、現在の対象空間ｓｑ内の温度Ｔｒを検知することが困難となってしまう。
【０１２２】
しかし、本実施形態に係るヒートポンプシステム１では、給湯暖房モード時に第２利用ユニット１０ａ，１０ｂが運転停止状態である場合には、当該第２利用ユニット１０ａ，１０ｂの利用側ファン１０５ａ，１０５ｂを駆動させる。これにより、現在の対象空間ｓｑ内の空気が第２利用ユニット１０ａ，１０ｂ内に送り込まれる空気の流れが形成されるため、温度センサ１０７ａ，１０７ｂは、現在の対象空間ｓｑ内の温度Ｔｒを検知することができるようになる。
【０１２３】
＜第２実施形態＞
上記第１実施形態では、第２利用ユニット１０ａ，１０ｂの温度センサ１０７ａ，１０７ｂ全ての検知結果（つまり、温度Ｔｒ）を用いて温度差Ｔｘが算出される場合について説明した。以下の第２実施形態では、温度差Ｔｘの算出方法が上記第１実施形態とは異なる場合について説明する。
【０１２４】
図７は、第２実施形態に係るヒートポンプシステム２００の構成を概略的に示す図である。図８は、第２実施形態に係るリモートコントローラ２１１ａの構成を模式的に示す図である。図７に示すように、ヒートポンプシステム２００は、熱源ユニット２０２、第１利用ユニット２０４ａ、貯湯ユニット２０８ａ、温水暖房ユニット２０９ａ、２台の第２利用ユニット２１０ａ，２１０ｂ、温度センサ３０７ａ，３０７ｂ及びリモートコントローラ２１１ａ，２１１ｂ，２１１ｃを備える。第２利用ユニット２１０ａ，２１０ｂは、上記第１実施形態と同様、対象空間ｓｑ内に２台とも設置されており、当該対象空間ｓｑ内には、温水暖房ユニット２０９ａも設置されている。
【０１２５】
リモートコントローラ２１１ａ，２１１ｂ，２１１ｃは、接続されている各ユニット２１０ａ，２１０ｂ，２０４ａ（２０９ａ）に関する各種設定や運転制御を遠隔で行う。特に、第２利用ユニット２１０ａに接続されているリモートコントローラ２１１ａは、第１実施形態のリモートコントローラ１１ａと同様、第２利用ユニット２１０ａの運転制御のみではなく、第１利用ユニット２０４ａの運転制御、第１利用ユニット２０４ａと第２利用ユニット２１０ａとの連動制御を行う。図８に示すように、リモートコントローラ２１１ａは、第１通信部３１１ａ、第２通信部３１２ａ、操作部３１３ａ、表示部３１４ａ及び制御部３１５ａを有しており、制御部３１５ａは、通信制御部３１６ａ、モード把握部３１７ａ、温度差算出部３１８ａ、第１利用ユニット制御部３１９ａ、及び第２利用ユニット制御部３２０ａとして機能する。
【０１２６】
尚、本実施形態に係るヒートポンプシステム２００では、温度差Ｔｘの算出方法を除いては、上記第１実施形態と同様である。即ち、ヒートポンプシステム２００の熱源ユニット２０２、第１利用ユニット２０４ａ、貯湯ユニット２０８ａ、温水暖房ユニット２０９ａ、第２利用ユニット２１０ａ，２１０ｂ、温度センサ３０７ａ，３０７ｂ及びリモートコントローラ２１１ｂ，２１１ｃは、上記第１実施形態に係るヒートポンプシステム１の熱源ユニット２、第１利用ユニット４ａ、貯湯ユニット８ａ、温水暖房ユニット９ａ、第２利用ユニット１０ａ，１０ｂ、温度センサ１０７ａ，１０７ｂ及びリモートコントローラ１１ｂ，１１ｃと同様の構成を有する。また、リモートコントローラ２１１ａの第１通信部３１１ａ、第２通信部３１２ａ、操作部３１３ａ、表示部３１４ａ、制御部３１５ａの機能であるモード把握部３１７ａ、第１利用ユニット制御部３１９ａは、上記第１実施形態に係るリモートコントローラ１１ａの第１通信部１１１ａ、第２通信部１１２ａ、操作部１１３ａ、表示部１１４ａ、制御部１１５ａの機能であるモード把握部１１７ａ、第１利用ユニット制御部１１９ａと同様である。従って、以下では、本実施形態に係るリモートコントローラ２１１ａの通信制御部３１６ａ、温度差算出部３１８ａ、及び第２利用ユニット制御部３２０ａについて説明する。
【０１２７】
（１−１）通信制御部
通信制御部３１６ａは、全ての温度センサ３０７ａ、３０７ｂの検知結果（つまり、温度Ｔｒ）を第２通信部３１２ａに取得させるのではなく、対象空間ｓｑ内の第２利用ユニット２１０ａ，２１０ｂのうちいずれか１つにおける温度センサ３０７ａ，３０７ｂの検知結果を、第２通信部３１２ａに取得させる。即ち、通信制御部３１６ａは、２台の第２利用ユニット２１０ａ，２１０ｂの中から、対象空間ｓｑ内の温度Ｔｒの取得先とする１台の第２利用ユニット（本実施形態では、第２利用ユニット２１０ａとする）を特定の第２利用ユニットとして決定しておき、特定の第２利用ユニット（つまり、第２利用ユニット２１０ａ）に設けられている温度センサ３０７ａのみから、検知結果を取得する。ここで、特定の第２利用ユニットは、例えば第１利用ユニット２０４ａとの距離関係や、対象空間ｓｑ内における第２利用ユニット２１０ａ，２１０ｂの設置位置等によって決定される。
【０１２８】
また、通信制御部３１６ａは、第１実施形態に係る通信制御部１１６ａと同様、各利用ユニット２０４ａ，２１０ａ，２１０ｂからの第１運転状況情報及び第２運転状況情報を各通信部３１１ａ，３１２ａに取得させる。また、通信制御部３１６ａは、温度Ｔｒの取得の際に特定の第２利用ユニットである第２利用ユニット２１０ａが運転を停止している場合には、第２利用ユニット２１０ａに対し、利用側ファンを動かす旨の第２運転制御情報を第２通信部３１２ａに出力させる。
【０１２９】
（１−２）温度差算出部
温度差算出部３１８ａは、特定の第２利用ユニットである第２利用ユニット２１０ａの目標設定温度Ｔｏと、当該第２利用ユニット２１０ａの温度センサ３０７ａによって検知された温度Ｔｒとの差を温度差Ｔｘとして求める（Ｔｘ＝Ｔｏ−Ｔｒ）。つまり、温度差算出部３１８ａは、特定の第２利用ユニットである第２利用ユニット２１０ａの温度センサ３０７ａによる検知結果を直接用いて温度差Ｔｘを求めるため、全ての第２利用ユニット２１０ａ，２１０ｂの温度センサ３０７ａ，３０７ｂにおける検知結果の平均値Ｔａｖを求める必要がない。
【０１３０】
尚、本実施形態では、第２利用ユニット２１０ａの目標設定温度Ｔｏから温度Ｔｒを減算することで温度差Ｔｘが求められる場合について説明するが、温度差Ｔｘは、温度Ｔｒから第２利用ユニット２１０ａの目標設定温度Ｔｏを減算することで求められてもよい。
【０１３１】
（１−３）第２利用ユニット制御部
第２利用ユニット制御部３２０ａは、第１実施形態に係る第２利用ユニット制御部１２０ａと同様、モード把握部３１７ａによる把握結果及び温度差算出部３１８ａによって求められた温度Ｔｘ等に基づいて、第２利用ユニット２１０ａを運転制御するための第２運転制御情報を生成する。
【０１３２】
また、第２利用ユニット制御部３２０ａは、ヒートポンプシステム２００が“給湯暖房モード”であって、かつ特定の第２利用ユニットである第２利用ユニット２１０ａが運転を停止している場合には、第２利用ユニット２１０ａの利用側ファンを駆動させるための第２運転制御情報を生成する。即ち、本実施形態では、特定の第２利用ユニット（第２利用ユニット２１０ａ）における温度センサ３０７ａのみから検知結果を取得するため、第２利用ユニット制御部３２０ａは、第２利用ユニット２１０ａの利用側ファンのみを制御すればよく、全ての第２利用ユニット２１０ａ，２１０ｂの利用側ファンを制御する必要はない。
【０１３３】
（２）ヒートポンプシステムの動作
図９，１０は、ヒートポンプシステム２００の全体的な動作を示すフローチャートである。尚、以下では、図５，６と同様、リモートコントローラ２１１ａの制御部３１５ａの各機能部を、まとめて“制御部３１５ａ”と表すこととする。
【０１３４】
ステップＳ５１〜Ｓ５３：リモートコントローラ２１１ａの制御部３１５ａは、第１利用ユニット２０４ａの第１運転状況情報及び第２利用ユニット２１０ａ，２１０ｂそれぞれの第２運転状況情報を取得し、各利用ユニット２０４ａ，２１０ａ，２１０ｂの現在の状況を把握することで、ヒートポンプシステム２００のモードを確認する。ヒートポンプシステム２００のモードが“給湯暖房モード”であって（Ｓ５１のＹｅｓ）、かつ特定の第２利用ユニットである第２利用ユニット２１０ａがたとえ一時的ではあったとしても現在は運転を停止している場合には（Ｓ５２のＹｅｓ）、制御部３１５ａは、第２利用ユニット２１０ａの利用側ファンを所定時間だけ駆動させる制御を行う（Ｓ５３）。
【０１３５】
ステップＳ５４：ステップＳ５２において、ヒートポンプシステム１のモードは“給湯暖房モード”であるが、第２利用ユニット２１０ａは運転している状態である場合（Ｓ５２のＮｏ）、及びステップＳ５３において、第２利用ユニット２１０ａの利用側ファンが駆動開始した場合、第２利用ユニット２１０ａの温度センサ３０７ａは、対象空間ｓｑ内の温度Ｔｒを検知し、リモートコントローラ２１１ａの第２通信部３１２ａは、これを取得する（Ｓ５４）。
【０１３６】
ステップＳ５５：制御部３１５ａは、第２利用ユニット２１０ａの目標設定温度ＴｏからステップＳ５４における温度Ｔｒを減算することで、温度差Ｔｘを算出する（Ｓ５５）。
【０１３７】
ステップＳ５６〜Ｓ１０：ステップＳ５５で求めた温度差Ｔｘが所定値Ｔａ以下である場合には（Ｓ５６のＮｏ）、制御部３１５ａは、第１利用ユニット２０４ａの運転をオフ（サーモオフ）させる旨の第１運転制御情報を生成する（Ｓ５７）。更に、制御部３１５ａは、第２利用ユニット２１０ａの暖房運転を弱めるか、または運転を停止させる旨の第２運転制御情報を生成する。逆に、温度差Ｔｘが所定値Ｔａ以上である場合には（Ｓ５６のＹｅｓ）、制御部３１５ａは、第１利用ユニット２０４ａの運転をオン（サーモオン）させる旨の第１運転制御情報を生成する（Ｓ５８）。更に、制御部３１５ａは、第２利用ユニット２１０ａの暖房運転を強める旨の第２運転制御情報を生成する。これにより、第１利用ユニット２０４ａは、第１運転制御情報が第１利用ユニット２０４ａの運転をオフさせる旨の内容であれば、サーモオフし、第１運転制御情報が第１利用ユニット２０４ａの運転をオンさせる旨の内容であれば、サーモオンする。また、第２利用ユニット２１０ａは、第１利用ユニット２０４ａに連動して対象空間ｓｑ内への風量（空調空気の量）を強めにしたり弱めにしたりする。
【０１３８】
ステップＳ５９：ヒートポンプシステム２００は、ヒートポンプシステム２００のモードが“給湯暖房モード”である限り（Ｓ５９のＹｅｓ）、ステップＳ５２以降の動作を繰り返し行う。ステップＳ５１及びＳ５９において、ヒートポンプシステム２００のモードが“給湯暖房モード”でない場合（Ｓ５１のＮｏ，Ｓ５９のＮｏ）、ヒートポンプシステム２００は、上述した一連の動作を終了する。
【０１３９】
（３）効果
本実施形態に係るヒートポンプシステム２００では、１つの対象空間ｓｑ内の２台の第２利用ユニット２１０ａ，２１０ｂのうち、特定の利用ユニットである第２利用ユニット２１０ａに設けられている温度センサ３０７ａの検知結果と、第２利用ユニット２１０ａの目標設定温度Ｔｏとの温度差Ｔｘにより、第１利用ユニット２０４ａの運転のオン及びオフが制御される。つまり、このシステム２００では、特定の第２利用ユニットである第２利用ユニット２１０ａにおける温度センサ３０７ａによって検知された対象空間ｓｑ内の温度が、第１利用ユニット２０４ａの運転制御に用いられる。従って、第１利用ユニット２０４ａは、特定の第２利用ユニット２１０ａ付近の対象空間ｓｑ内の温度に応じて運転制御が行われるようになる。
【０１４０】
＜その他の実施形態＞
（ａ）
上記第１実施形態では、図４に示すように、リモートコントローラ１１ａの表示部１１４ａには、連動ユニット情報Ｉｎｆ１と共に連動運転制御情報Ｉｎｆ２が表示される場合について説明した。しかし、リモートコントローラ１１ａの表示部１１４ａに表示される情報は、連動ユニット情報Ｉｎｆ１及び連動運転制御情報Ｉｎｆ２のうちいずれか１つであってもよい。
【０１４１】
また、連動ユニット情報Ｉｎｆ１及び連動運転制御情報Ｉｎｆ２は、ヒートポンプシステムを利用するユーザが確認可能に表示されればよいため、リモートコントローラ１１ａの表示部１１４ａ以外に表示されてもよい。例えば、連動ユニット情報Ｉｎｆ１及び連動運転制御情報Ｉｎｆ２は、室内機である第２利用ユニット１１ａ，１１ｂのケーシングの正面に設けられた表示部（図示せず）に表示されてもよいし、温水暖房ユニット９ａに接続されているリモートコントローラ１１ｃの表示部に表示されてもよい。
【０１４２】
（ｂ）
上記第１及び第２実施形態では、制御部１１５ａ，３１５ａが、第１利用ユニット４ａ，２０４ａと第２利用ユニット１０ａ，２１０ａとを連動して運転制御する場合について説明した。しかし、第１利用ユニットと連動して運転制御される第２利用ユニットは、１台のみに限定されない。第１利用ユニットは、対象空間ｓｑ内の第２利用ユニット全て（図１では第２利用ユニット１０ａ，１０ｂ）と連動して運転制御されてもよい。
【０１４３】
（ｃ）
上記第１及び第２実施形態では、ヒートポンプシステムが図２に示す構成の場合について説明した。しかし、本発明に係るヒートポンプシステムは、図１１に示すような構成の場合にも適用することができる。
【０１４４】
図１１に係るヒートポンプシステム４００は、熱源ユニット２、第１利用ユニット４ａ、貯湯ユニット８ａ、温水暖房ユニット９ａ、第２利用ユニット１０ａ，１０ｂ、温度センサ１０７ａ及びリモートコントローラ（図示せず）を備える。尚、第１利用ユニット４ａ以外は、図２と同様であるため、図２と同じ符号を付している。
【０１４５】
利用ユニット４ａは、熱源側冷媒回路２０の一部及び水媒体回路８０ａの一部を構成すると共に、利用側冷媒回路４０ａを構成している。熱源側冷媒回路２０の一部及び水媒体回路８０ａの一部を構成する部分については、第１実施形態と同様である。
【０１４６】
利用側熱源回路４０ａは、図１１に示すように、利用側圧縮機６２ａ、冷媒−水熱交換器６５ａ、冷媒−水熱交側流量調節弁６６ａ及び第１利用側熱交換器４１ａが冷媒管７１ａ、７０ａ、７２ａ、６８ａ、６９ａを介して接続されることによって構成されている。
【０１４７】
利用側圧縮機６２ａは、利用側冷媒を圧縮するための機構であり、図２に係る熱源側圧縮機２１と同様、密閉式圧縮機が採用されている。この利用側圧縮機６２ａは、利用側圧縮機モータ６３ａによって駆動され、利用側圧縮機モータ６３ａは、回転数（即ち、運転周波数）を可変可能に回転することができる。また、利用側圧縮機６２ａの吐出には、カスケード側吐出管７０ａが接続されており、利用側圧縮機６２ａの吸入には、カスケード側吸入管７１ａが接続されている。このカスケード側吸入管７１ａ上には、アキュムレータ６７ａが接続されており、カスケード側吸入管７１ａは、第２カスケード側ガス冷媒管６９ａに接続されている。
【０１４８】
冷媒−水熱交換器６５ａは、利用側冷媒と水媒体との熱交換を行うことで利用側冷媒の放熱器として機能する熱交換器である。冷媒−水熱交換器６５ａのうち、利用側冷媒が流れる流路の液側及びガス側には、カスケード側液冷媒管６８ａ及び第１カスケード側ガス冷媒管７２ａがそれぞれ接続されている。また、冷媒−水熱交換器６５ａのうち、水媒体が流れる流路の入口側及び出口側には、第１利用側水入口管４７ａ及び第１利用側水出口管４８ａがそれぞれ接続されている。尚、第１カスケード側ガス冷媒管７２ａは、カスケード側吐出管７０ａに接続されている。
【０１４９】
冷媒−水熱交側流量調節弁６６ａは、開度制御を行うことで冷媒−水熱交換器６５ａを流れる利用側冷媒の流量を可変することが可能な電動膨張弁であり、カスケード側液冷媒管６８ａに設けられている。
【０１５０】
第１利用側熱交換器４１ａは、熱源側冷媒と利用側冷媒との熱交換を行うことで熱源側冷媒の放熱器として機能する熱交換器である。第１利用側熱交換器４１ａのうち、熱源側冷媒が流れる流路の液側及びガス側には、第１利用側液冷媒管４５ａ及び第１利用側吐出冷媒管４６ａがそれぞれ接続されている。第１利用側熱交換器４１ａのうち、利用側冷媒が流れる流路の液側及びガス側には、カスケード側液冷媒管６８ａ及び第２カスケード側ガス冷媒管６９ａがそれぞれ接続されている。
【０１５１】
図２及び図７の構成において、上述した利用側熱源回路４０ａを加えた構成である第１利用ユニット４ａは、第１利用側熱交換器４１ａを冷媒連絡管１２から導入される熱源側冷媒の放熱器として機能させることで、第１利用側熱交換器４１ａにおいて放熱した熱源側冷媒を冷媒連絡管１３に導出し、第１利用側熱交換器４１ａにおける熱源側冷媒の放熱によって利用側冷媒回路４０ａを循環する利用側冷媒を加熱する。そして、第１利用ユニット４ａは、この加熱された利用側冷媒が利用側圧縮機６２ａにおいて圧縮された後に、冷媒−水熱交換器６５ａにおいて放熱することによって水媒体を加熱する給湯運転を行うことが可能になっている。
【０１５２】
（ｄ）
また、本発明に係るヒートポンプシステムは、図２や図１１のように回路構成されたシステムに限定されず、図１２のように回路構成されたシステムにおいても適用することができる。図１２のシステムは、１台の熱源ユニット２に水媒体用の利用ユニット４ａ及び空気媒体用の利用ユニット１０ａが接続されており、さらに水媒体用の利用ユニット４ａには床暖房等の暖房運転を行うことができる暖房装置９ａが接続されている。また、図１２においては図示してはいないが、図１２のシステムの第２利用ユニット１０ａ内には温度センサが設けられており、第２利用ユニット１０ａにはリモートコントローラが接続されている。
【０１５３】
尚、第２利用ユニット１０ａと暖房装置９ａは、共に１つの対象空間内に設置されている。第２利用ユニット１０ａでは、第２利用側熱交換器１０１ａにて熱交換された空調空気が、利用側ファン１０５ａによって対象空間内へと供給される。第１利用ユニット４ａでは、第１利用側熱交換器４１ａにおいて水媒体が加熱され、加熱後の水媒体は、暖房装置９ａへと供給され、対象空間内の暖房に用いられる。
【０１５４】
（ｅ）
上記第１及び第２実施形態、その他の実施形態（ｃ）では、１つの対象空間ｓｑ内に第２利用ユニットが２台設けられている場合について説明した。しかし、対象空間ｓｑ内に設けられる第２利用ユニットの台数は、２台に限定されず、１台や３台以上であってもよい。一例として、図１３では、図２の回路構成において第２利用ユニットが１台設けられた場合の概略構成を示しており（図１３の第２利用ユニット１０ａ）、図１４では、図１１の回路構成において第２利用ユニットが１台設けられた場合の概略構成を示している（図１４の第２利用ユニット１０ａ）。
【０１５５】
（ｆ）
また、本発明に係るヒートポンプシステムでは、第１利用ユニットの台数についても１台に限定されず、複数台設けられていてもよい。一例として、図１５では、図２の回路構成において第１利用ユニットが２台（図１５の第１利用ユニット４ａ，４ｂ）、第２利用ユニットが１台設けられた場合の概略構成を示している。図１６では、図１１の回路構成において第１利用ユニットが２台（図１６の第１利用ユニット４ａ，４ｂ）、第２利用ユニットが１台設けられた場合の概略構成を示している。このように、第１利用ユニットが複数台設けられる場合には、各第１利用ユニットは互いに並列に接続される。このような場合であっても、各第１利用ユニットは、第２利用ユニット内の温度センサによって検知された室内の温度と第２利用ユニットの目標設定温度とに基づいて運転のオン及びオフが制御される。そのため、第１利用ユニットの運転制御が適切に行われる。
【０１５６】
（ｇ）
更に、本発明に係るヒートポンプシステムでは、第１及び利用ユニットそれぞれが複数台設けられていても良い。一例として、図１７では、図２の回路構成において各利用ユニットが２台ずつ設けられた場合の概略構成を示しており（図１７の利用ユニット４ａ，４ｂ，１０ａ，１０ｂ）、図１８では、図１１において各利用ユニットが２台ずつ設けられた場合の概略構成を示している（図１８の利用ユニット４ａ，４ｂ，１０ａ，１０ｂ）。
【０１５７】
尚、図１３〜図１８では、温水暖房ユニット９ａ，２０９ａ、貯湯ユニット８ａ，２０８ａ及び水媒体回路８０ａ等の詳細な図示を省略している。
【０１５８】
（ｈ）
上記第１実施形態では、温度差Ｔｘが所定値Ｔａ以上であれば、第１利用ユニット４ａがサーモオンすると共に第２利用ユニット１０ａの風量が強められ、逆に温度差Ｔｘが所定値Ｔａ以下であれば、第１利用ユニット４ａがサーモオフすると共に第２利用ユニット１０ａの風量が弱められる場合について説明した。しかし、第２利用ユニットは、第１利用ユニットと同様に、温度差Ｔｘが所定値Ｔａ以上であればサーモオンし、逆に温度差Ｔｘが所定値Ｔａ以下であればサーモオフするように制御されてもよい。
【産業上の利用可能性】
【０１５９】
本発明に係るヒートポンプシステムは、第１利用ユニットの運転制御を適切に行うことができるという効果を有する。本発明に係るヒートポンプシステムは、１つの熱源ユニットに水媒体を加熱可能な第１利用ユニットと、空気媒体を利用して暖房を行う第２利用ユニットとが接続されており、加熱された水媒体が暖房に利用されるシステムに適用することができる。
【符号の説明】
【０１６０】
１  ヒートポンプシステム
２  熱源ユニット
４ａ  第１利用ユニット
８ａ  貯湯ユニット
９ａ  温水暖房ユニット
１０ａ，１０ｂ  第２利用ユニット
１１ａ，１１ｂ，１１ｃ  リモートコントローラ
４１ａ  第１利用側熱交換器
１０１ａ，１０１ｂ  第２利用側熱交換器
１０５ａ，１０５ｂ  利用側ファン
１０７ａ，１０７ｂ  温度センサ
１１４ａ  表示部
１１５ａ  制御部
１１７ａ  モード把握部
１１８ａ  温度算出部
１１９ａ  第１利用ユニット制御部
１２０ａ  第２利用ユニット制御部
Ｉｎｆ１  連動ユニット情報
Ｉｎｆ２  連動運転制御情報
【先行技術文献】
【特許文献】
【０１６１】
【特許文献１】特開２０００−４６４１７号公報
【図１】
2010196954.tif 000003
【図２】
2010196954.tif 000004
【図３】
2010196954.tif 000005
【図４】
2010196954.tif 000006
【図５】
2010196954.tif 000007
【図６】
2010196954.tif 000008
【図７】
2010196954.tif 000009
【図８】
2010196954.tif 000010
【図９】
2010196954.tif 000011
【図１０】
2010196954.tif 000012
【図１１】
2010196954.tif 000013
【図１２】
2010196954.tif 000014
【図１３】
2010196954.tif 000015
【図１４】
2010196954.tif 000016
【図１５】
2010196954.tif 000017
【図１６】
2010196954.tif 000018
【図１７】
2010196954.tif 000019
【図１８】
2010196954.tif 000020